(57)【特許請求の範囲】
【請求項１】
乾電池を受け入れるケース本体と、ケース本体の前方に配置され、器体の電池収納部内にケース本体を収納したときに該電池収納部の出入口を覆う蓋体とを備え、形状の異なる複数種類の蓋体が用意され、複数種類の蓋体をケース本体の前端面に付け替え自在とした電池ケースであって、前記ケース本体の前端面と前記蓋体の背面とのいずれか一方の面に雌型連結部を突設し、いずれか他方の面に前記雌型連結部の内部空間に向けて挿入される雄型連結部を突設し、前記雌型連結部の外周及び内周をそれぞれ断面の曲率が連続する曲面で構成すると共に、前記雄型連結部の外周を前記雌型連結部の内周に摺接する曲面で構成し、前記雄型連結部を前記雌型連結部の内部空間に挿入したときに、前記雌型連結部に形成した係合部に係合して前記雄型連結部の抜け止めをする爪部と、前記雌型連結部に対する前記雄型連結部の回転を防止する回り止め部とを備えたことを特徴とする電池ケース。
【請求項２】
前記雌型連結部の内周を円筒面で構成し、前記回り止め部を、前記雌型連結部に形成される回り止め凹部と、前記雄型連結部に設けられて前記回り止め凹部に嵌入する回り止め突部とで構成したことを特徴とする請求項１記載の電池ケース。
【請求項３】
前記雄型連結部の爪部を前記雌型連結部の内方に撓ませて前記係合部から離脱させる際に、該爪部の内方への一定以上の変形を規制するための規制部を備えていることを特徴とする請求項１又は２記載の電池ケース。
【請求項４】
前記係合部を前記雌型連結部の複数個所に設け、各係合部と対応する雄型連結部の複数個所に前記爪部を設け、各係合部の寸法を異ならせると共に、各爪部の寸法を各係合部の寸法と個別に対応させておき、前記一の係合部には係合できないようにしてある爪部を少なくとも１つ設けたことを特徴とする請求項１乃至３のいずれか一項に記載の電池ケース。
【発明の詳細な説明】
【技術分野】
【０００１】
本発明は、電池ケースに関し、詳しくは、例えばガステーブルこんろ等のガス燃焼器具の前側に電池ケースを収納し、器体の前面側から電池の交換ができるようにした電池ケースに関するものである。
【背景技術】
【０００２】
従来から、蓋体となる前面カバーと、上面が開口された舟型のケース本体とをスライド台に一体に備えてスライド体を構成し、このスライド体を器体内に収納又は引き出し可能とした乾電池ケースが知られている（特許文献１の段落［０００４］、図１１参照）。
【先行技術文献】
【特許文献】
【０００３】
【特許文献１】特開平０８−２５００８８号公報
【発明の概要】
【発明が解決しようとする課題】
【０００４】
ところで、上記特許文献１に示された従来例にあっては、例えば器体の前面側のデザインが異なる複数機種のガスコンロを製造する場合は、機種に応じた複数種類の蓋体を用意して、デザインの異なる電池ケースを作製することが可能である。
【０００５】
しかし、一般には、蓋体とケース本体とを１対１の対応関係で製造しており、このため、蓋体の変更に合わせてケース本体も複数種類用意しなければならず、製造コストが高くつくという問題点がある。
【０００６】
さらに、蓋体をケース本体に取り付ける方法として、ねじで連結し付け替え自在とすることが考えられるが、それではねじ止め作業が必要になって、電池ケースの組み立てに手間がかかるという問題点もある。
【０００７】
本発明は上記の事情に鑑みてなされたものであって、その目的とするところは、蓋体のデザインが異なってもケース本体を共用でき、製造コストを安くできると共に、組み立てを容易にしかも確実に行うことができる電池ケースを提供することにある。
【課題を解決するための手段】
【０００８】
前記の課題を解決するために、本発明は、乾電池を受け入れるケース本体２と、ケース本体２の前方Ａに配置され、器体４の電池収納部内にケース本体２を収納したときに該電池収納部の出入口６を覆う蓋体３とを備え、形状の異なる複数種類の蓋体３が用意され、複数種類の蓋体３をケース本体２の前端面２ａに付け替え自在とした電池ケースであって、前記ケース本体２の前端面２ａと前記蓋体３の背面３ｂとのいずれか一方の面に雌型連結部８を突設し、いずれか他方の面に前記雌型連結部８の内部空間８ｃに向けて挿入される雄型連結部９を突設し、前記雌型連結部８の外周８ａ及び内周８ｂをそれぞれ断面の曲率が連続する曲面で構成すると共に、前記雄型連結部９の外周９ｅを前記雌型連結部８の内周８ｂに摺接する曲面で構成し、前記雄型連結部９を前記雌型連結部８の内部空間８ｃに挿入したときに、前記雌型連結部８に形成した係合部１０に係合して前記雄型連結部９の抜け止めをする爪部１１と、前記雌型連結部８に対する前記雄型連結部９の回転を防止する回り止め部１２とを備えたことを特徴とする。
【０００９】
このような構成とすることで、蓋体３の背面３ｂ又はケース本体２の前端面２ａの一方に取り付けた雄型連結部９を、他方に取り付けた雌型連結部８の内部空間８ｃに差し込むだけで、係合部１０に爪部１１が係合して、雌型連結部８に対して雄型連結部９をワンタッチで接続可能となる。従って、雌型連結部８又は雄型連結部９のいずれか一方を複数種類の蓋体３の背面３ｂにそれぞれ共通して設けることで、複数種類の蓋体３で一種類のケース本体２を共用でき、異なるデザインの蓋体３を備える電池ケース１を低コストで製造できる。しかも雌型連結部８の外周８ａ及び内周８ｂ、雄型連結部９の外周９ｅは共に、断面の曲率が連続する曲面で構成し、接続状態では雌型連結部８の内周８ｂに雄型連結部９の外周９ｅが摺接することにより、ケース本体２と蓋体３との接続部分に対して外力が作用したときにも応力が該接続部分の１箇所に集中することがなく剛性を確保できる。さらに蓋体３に回転力がかかったときでも回り止め部１２の働きによって、雄型連結部９の爪部１１に対して回転方向Ｂにストレスがかかるのを防止できる。
【００１０】
また、前記雌型連結部８の内周８ｂを円筒面で構成し、前記回り止め部１２を、前記雌型連結部８に形成される回り止め凹部１２ａと、前記雄型連結部９に設けられて前記回り止め凹部１２ａに嵌入する回り止め突部１２ｂとで構成するのが好ましい。この場合、雌型連結部８の内周８ｂが上下左右方向の全方向において均一な円筒形状となり、雄型連結部９の外周９ｅとの摺接を均等にでき、これにより、ケース本体２と蓋体３の接続部分に対して外力が上下左右方向の何れの方向から作用したときであっても該接続部分の剛性をより向上させることができる。
【００１１】
また、前記雄型連結部９の爪部１１を前記雌型連結部８の内方Ｍに撓ませて前記係合部１０から離脱させる際に、該爪部１１の内方Ｍへの一定以上の変形を規制するための規制部１４を備えているのが好ましい。この場合、雄型連結部９の爪部１１が係合部１０から離脱可能となり、しかも、爪部１１が内方Ｍに向けて必要以上に変形しすぎるのを規制部１４により規制できるので、爪部１１を備える部位の破損等を防ぐことができる。
【００１２】
また、前記係合部１０を雌型連結部８の複数個所に設け、各係合部１０と対応する前記雄型連結部９の複数個所に前記爪部１１を設け、各係合部１０の寸法を異ならせると共に、各爪部１１の寸法を各係合部１０の寸法と個別に対応させておき、前記一の係合部１０には係合できないようにしてある爪部１１を少なくとも１つ設けるのが好ましい。この場合、雌型連結部８に対する雄型連結部９の接続方向に間違いがあるときは、前記一の係合部１０に前記一の爪部１１が接続できなくなり、接続方向の間違いを容易に見つけることができる。
【発明の効果】
【００１３】
請求項１の発明によれば、蓋体のデザインが異なってもケース本体を共用でき、製造コストを安くできると共に、組み立てが容易でしかも蓋体がぐらつくことなくしっかりとケース本体に固定できる。この結果、電池ケースを引き出す際に蓋体のぐらつきで使用者に不安感を与えたり、蓋体のぐらつきで器体の出入口の周縁と蓋体とがずれるといった不具合が生じない。さらに、組み立て後に蓋体に回転力がかかったときでも回り止め部によって回り止めできるので、係合部に係合している爪部に対して回転方向にストレスがかかるのを防止でき、爪部の欠損や変形等を防止でき、蓋体の安定した取り付け状態を長期に亘って持続できるものである。
【００１４】
請求項２の発明によれば、ケース本体と蓋体の接続部分に対して外力が左右方向の何れの方向から作用したときであっても該接続部分の剛性を確保できると共に、回り止め凹部と回り止め突部との凹凸嵌合によって回り止め部を簡単に実現できるものである。
【００１５】
請求項３の発明によれば、係合部から爪部が離脱可能になると共に、爪部を備える部位が内方に撓みすぎることによる欠損や強度低下を防止できるものである。
【００１６】
請求項４の発明によれば、雌型連結部に対する雄型連結部の誤接続を容易に見つけることができる。
【図面の簡単な説明】
【００１７】
【図１】本発明の一実施形態の蓋体とケース本体とで構成される電池ケースの分解斜視図である。
【図２】同上の電池ケースが収納されるガスコンロの一例を示し、（ａ）は平面図であり、（ｂ）は側面図であり、（ｃ）は正面図である。
【図３】（ａ）は同上のケース本体の平面図であり、（ｂ）は（ａ）のＮ部の拡大図であり、ストッパー部と器体側の凹部とが嵌合した状態の説明図であり、（ｃ）はケース本体の側面図である。
【図４】（ａ）は同上のケース本体の正面図であり、（ｂ）は側面断面図である。
【図５】同上のガスコンロに用いる電池ケース用の蓋体を示し、（ａ）は前面側から見た斜視図であり、（ｂ）は背面側から見た斜視図であり、（ｃ）は側面図であり、（ｄ）は背面図である。
【図６】同上の蓋体の雄型連結部とケース本体の雌型連結部との接続完了状態を示す側面断面図である。
【図７】同上の雄型連結部の爪部を内方に撓ませて雌型連結部の係合部から離脱させる場合の説明図である。
【図８】同上の電池ケースが収納される別機種のガスコンロの一例を示し、（ａ）は平面図であり、（ｂ）は側面図であり、（ｃ）は正面図である。
【図９】図８のガスコンロに用いる電池ケース用の蓋体を示し、（ａ）は前面側から見た斜視図であり、（ｂ）は側面図であり、（ｃ）は背面図である。
【発明を実施するための形態】
【００１８】
以下、本発明の実施の形態について、図面を参照しながら説明する。
【００１９】
図２は、本実施形態に用いるガスコンロ２０の外形の一例を示している。図２に示したガスコンロ２０は、左右２個のコンロバーナ２１と、中間に位置するグリル２２と、後述する電池ケース１を収納する電池収納部（図示せず）の出入口６とを備えている。
【００２０】
ガスコンロ２０の器体４の前面パネル４ａには、グリル２２の左右両側に位置させて、角形の押しボタンから成るコンロバーナ用の２個一対の操作子２３,２３が配置されている。右側コンロバーナ用の操作子２３の右側に位置させて、コンロ用操作子２３と同形状のグリル用の操作子２３ａが配置されている。左側コンロバーナ用の操作子２３の左側に位置させて、この操作子２３を模した形状の電池ケース１用の蓋体３が配置されている。
【００２１】
電池ケース１は、図１に示すように、乾電池（図示せず）を受け入れる樹脂製のケース本体２と、ケース本体２の前方Ａに配置される蓋体３とからなる。
【００２２】
ケース本体２は、上面が開口された舟型に形成されており、図３（ａ）に示すように、ケース本体２の後端部と前端部には、乾電池のマイナスとプラスの各電極に接する端子２４ａ,２４ｂが装着されている。ケース本体２の前端面２ａからは、後述する雌型連結部８が突設されている。
【００２３】
ケース本体２の前端寄りの底面部分には、下方向Ｆ（図１）側に開放された開口部２５が設けられ、この開口部２５内に、ケース本体２を器体４内の所定の収納位置に係止するための位置固定用のストッパー部２６が架け渡されている。ストッパー部２６には、図３（ａ）（ｂ）に示すように、平面視で山形状をした凸部２６ａが突設されている。一方、器体４側には、ストッパー部２６の凸部２６ａと着脱自在に嵌合可能な凹状部２７（図３（ｂ））が設けられており、ケース本体２を器体４内に収納したときにストッパー部２６の凸部２６ａが凹状部２７に嵌入することで、ケース本体２を収納位置で保持できるようになっている。
【００２４】
ケース本体２の後部寄りの底面部分には下方向Ｆに向けて、図３（ｃ）に示すように、係止部２８が突設されている。係止部２８は、検出部ケース本体２を器体４内から電池交換可能な電池交換用位置まで所定ストロークだけ引き出したときに、その引き出し位置で器体４側に引っ掛けられるものであり、これによりケース本体２を引き出し位置で停止させることができ、誤って落下しないようにしている。
【００２５】
一方、電池ケース１用の蓋体３として、図５に示す蓋体３と、図９に示す蓋体３Ａとの２種類を例示する。
【００２６】
図５に示す蓋体３は、図２に示したガスコンロ２０の第１機種における操作子２３を模した形状に形成されている。
【００２７】
図９に示す蓋体３Ａは、図８に示したガスコンロ２０Ａの別機種（第２機種）に用いる操作子２３Ａを模した形状に形成されている。
【００２８】
これら蓋体３,３Ａは樹脂製であり、前面３ａのデザイン形状は異なっているが、背面３ｂに突設される雄型連結部９の構造は共通している。勿論、蓋体３として、例示した２種類の蓋体３,３Ａに限られるものではなく、様々な形状の蓋体に適用可能である。
【００２９】
図１〜図７の実施形態では、図５に示す第１機種用の蓋体３とケース本体２との組み合わせを例示する。以下において、図１に示すように、ケース本体２において電池を受け入れるために開放されている方向を上方向Ｅとし、蓋体３側からケース本体２側に向かって右側を右方向Ｄ１とし、左側を左方向Ｄ２とする。
【００３０】
先ず、雌型連結部８を説明する。
【００３１】
雌型連結部８は、図１に示すように、ケース本体２の前端面２ａから後方に向けて突設されている。本例の雌型連結部８は、断面円形の内部空間８ｃ（図４）を有する中空円筒状に形成されている。つまり、雌型連結部８の外周８ａ及び内周８ｂは、いずれも、断面の曲率が連続した曲面の特殊形である、曲率が一定の曲面で構成されている。
【００３２】
雌型連結部８の上方向Ｅ側の側壁の根元側には、左右方向Ｄに長手形状となった第１長孔３１が形成されている。
【００３３】
雌型連結部８の下方向Ｆ側の側壁の根元側には、左右方向Ｄに長手形状となった第２長孔３２が形成されている。本例では、図４（ａ）に示すように、第２長孔３２の左右方向Ｄの寸法Ｈが第１長孔３１の左右方向Ｄの寸法Ｇよりも大きく形成されている。
【００３４】
第１長孔３１は、後述する第１爪部１１ａと係合する第１係合部１０ａとして機能し、第２長孔３２は、後述する第２爪部１１ｂと係合する第２係合部１０ｂとして機能する。
【００３５】
また、雌型連結部８の左右方向Ｄの２箇所には、回り止め凹部１２ａを構成する左凹部３３と右凹部３４とが設けられている。これら左凹部３３と右凹部３４は、それぞれ、図１に示すように、前方Ａに向けて開放されており、後述の回り止め突部１２ｂが嵌合可能となっている。
【００３６】
次に、雄型連結部９を説明する。
【００３７】
雄型連結部９は、図１に示すように、蓋体３の背面３ｂから後方に向けて突設されている。雄型連結部９は、上述した雌型連結部８よりも一回り小さい中空円筒状に形成されている。ここでは、雄型連結部９の外周９ｅは、断面の曲率が連続した曲面の特殊形である、曲率が一定の曲面で構成されていると共に、その外周９ｅが雌型連結部８の内周８ｂに沿って摺接嵌入可能になっている。
【００３８】
本例の雄型連結部９は、その周方向の４箇所を欠損することで周方向に４分割されている。
【００３９】
４分割された雄型連結部９のうち、上側に位置する上部片９ａの後端部外周側には、第１爪部１１ａが突設されている。第１爪部１１ａの左右方向Ｄの寸法Ｉ（図１）は、雌型連結部８の第１係合部１０ａ（第１長孔３１）の左右方向Ｄの寸法Ｇ（図４（ｂ））より小さめに形成されており、第１爪部１１ａは第１係合部１０ａ内に係合可能とされる。
【００４０】
４分割された雄型連結部９のうち、下側に位置する下部片９ｂの後端部外周側には、第２爪部１１ｂが突設されている。第２爪部１１ｂの左右方向Ｄの寸法Ｊ（図１）は、第２係合部１０ｂ（第２長孔３２）の左右方向Ｄの寸法Ｈ（図４（ｂ））よりやや小さめに形成されており、第２爪部１１ｂは第２係合部１０ｂ内に係合可能とされる。
【００４１】
ここで、上記雌型連結部８に対する上記雄型連結部９の接続方向の間違いをなくすために、各係合部１０ａ,１０ｂの寸法Ｇ,Ｈ（Ｇ＜Ｈ）を異ならせると共に、各爪部１１ａ,１１ｂの寸法Ｉ,Ｊ（Ｉ＜Ｊ）を各係合部１０ａ,１０ｂの寸法と個別に対応させておき、第２爪部１１ｂの寸法Ｊ（図１）を第１係合部１０ａの寸法Ｇ（図４（ｂ））より大きくして、第２爪部１１ｂが第１係合部１０ａには挿入できないようにしてある。
【００４２】
また、４分割された雄型連結部９のうち、左側に位置する左部片９ｃの背面から左方向Ｄ２に向けて、雌型連結部８の左凹部３３に嵌入する左突部３５が突設されている。また、右側に位置する右部片９ｄの背面から右方向Ｄ１に向けて、雌型連結部８の右凹部３４に嵌入する右突部３６が突設されている。これら左突部３５と右突部３６は、上記雌型連結部８に設けた左凹部３３と右凹部３４とにそれぞれ嵌入する回り止め突部１２ｂとして機能する。また本例の左突部３５は、左部片９ｃの背面から蓋体３の背面３ｂに亘って連続形成されており、また右突部３６は、左部片６ｄの背面から蓋体３の背面３ｂに亘って連続形成されている。
【００４３】
また本例では、上述の雌型連結部８の内側に、ケース本体２の前端面２ａから雌型連結部８と同方向に内筒部１４ａが突設されている。内筒部１４ａは雌型連結部８と平行で且つ雌型連結部８よりも一回り小さい中空円筒状に形成されている。そして、図６に示すように、爪部１１（１１ａ,１１ｂ）が係合部１０（１０ａ,１０ｂ）に係合した状態において、爪部１１と内筒部１４ａとの間には、係合部１０に対する爪部１１の引っ掛け代Ｘよりもやや大きめの隙間Ｙが確保されている。これにより、後述のように爪部１１を内方Ｍ（図７）に撓ませて係合部１０から離脱させる際に爪部１１の内方Ｍへの撓みすぎを内筒部１４ａにて規制できる構造となっている。
【００４４】
上記構成によれば、蓋体３をケース本体２に取り付けるにあたっては、図１に示すように、左突部３５と右突部３６とを左凹部３３と右凹部３４とにそれぞれ位置合わせし、且つ、第１爪部１１ａと第２爪部１１ｂの周方向の位置がそれぞれ第１係合部１０ａと第２係合部１０ｂの周方向の位置と一致するようにして、雄型連結部９を前方Ａから雌型連結部８内に嵌入する。このとき、第１爪部１１ａが雌型連結部８の内周８ｂに沿って滑りながら第１係合部１０ａに係合すると共に、第２爪部１１ｂが雌型連結部８の内周８ｂに沿って滑りながら第２係合部１０ｂに係合するようになり、蓋体３をケース本体２に対してワンタッチで連結でき、図６に示す接続完了状態に至る。
【００４５】
ここで、雄型連結部９を雌型連結部８内に差し込む際に、左右方向Ｄの寸法Ｇ（図４（ａ））が小さい第１係合部１０ａを雌型連結部８の上部側に配置してあるので、仮りに蓋体３を誤って上下逆に挿入したとしても、蓋体３の雄型連結部９の下部側に位置する左右方向Ｄの寸法Ｊ（図１）の大きい第２爪部１１ｂが上記第１係合部１０ａに入らず、しかもこの第１係合部１０ａは、ケース本体２の上方向Ｅからよく見える位置に配置されているので、雄型連結部９の誤接続を見つけやすくなる。
【００４６】
また、図５に示す第１機種用の蓋体３の背面３ｂに突設される雄型連結部９と、図９に示す第２機種用の蓋体３Ａの背面３ｂに突設される雄型連結部９とを同じ構造にすることで、両蓋体３,３Ａのいずれかを任意に選択してケース本体２に接続することができ、これにより異なるデザインの蓋体３（３Ａ）を備える電池ケース１を得ることができる。つまり、２種類の蓋体３（３Ａ）で一種類のケース本体２を共用できるので、デザインごとに異なるケース本体２を製造する必要がなくなり、製造コストの削減を図ることができる。そのうえ従来のようなねじ止め作業が不要となるので、電池ケース１の組み立てに手間がかからないものである。
【００４７】
また、雌型連結部８の外周８ａを断面の曲率が連続する円筒面で形成し、且つ、雌型連結部８の内周８ｂとこれに摺接する雄型連結部９の外周９ｅとを、それぞれ、断面の曲率が連続する曲面で形成したから、雌型連結部８の内周８ｂと雄型連結部９の外周９ｅとの摺接が均等且つ確実にできる。また、雌型連結部８と雄型連結部９との接続部分に対して外力が作用したときにも、該接続部分の１箇所に応力が集中することがなくなり、剛性が十分に確保されるものである。
【００４８】
この結果、蓋体３をケース本体２に対してぐらつくことなくしっかりと固定できるようになる。そのうえ雄型連結部９及び雌型連結部８をそれぞれ中空円筒形状とすることで、樹脂成形品で成形した場合には樹脂が回りやすくて成形がしやすくなると同時に、成形後の樹脂収縮が均等となって偏りや歪みが生じない利点もある。
【００４９】
また、接続完了後に、外部から蓋体３に対して回転力がかかったときでも、回り止め部１２（１２ａ,１２ｂ）の働きによって、雄型連結部９の回転が防がれ、雄型連結部９の爪部１１に対して回転方向Ｂ（図１参照）にストレスがかかるのを防止できるので、爪部１１の欠損や変形等を防止でき、蓋体３の安定した取り付け状態を長期に亘って持続できるものである。
【００５０】
さらに、図６に示す接続完了状態では、雌型連結部８の先端面が蓋体３の背面３ｂに当接しており、しかも雌型連結部８の内周８ｂの円筒面と雄型連結部９の外周９ｅの円筒面とが摺接嵌合しているので、接続部分に対して外力が左右方向Ｄの何れの方向から作用したときであっても剛性が十分に確保されるのであり、これにより、ケース本体２に蓋体３を付け替え自在としているにも拘らず、蓋体３をケース本体２にぐらつくことなくしっかりと固定できる。その結果、指で蓋体３を引き出す際に蓋体３のぐらつきで使用者に不安感を与えたり、電池ケース１を収納する際に蓋体３のぐらつきで出入口６の周縁に蓋体３が干渉するといった不具合が生じることはない。
【００５１】
さらに本例では、図５に示すように、回り止め突部１２ｂを構成する左突部３５が、左部片９ｃの背面から蓋体３の背面３ｂに亘って連続形成され、右突部３６が、右部片９ｄの背面から蓋体３の背面３ｂに亘って連続形成されているので、左部片９ｃ及び右部片９ｄを回り止め突部１２ｂによって補強できる利点もある。
【００５２】
一方、蓋体３をケース本体２から取り外すにあたっては、ピン具（図示せず）等を用いて、第１爪部１１ａを内方Ｍ（図７）に向かって没入させる。同様にして、第２爪部１１ｂを内方Ｍに向かって没入させる。この状態では、図７に示すように、爪部１１の外周側の先端が雌型連結部８の内周８ｂと同一面となって、爪部１１を図７の前方Ａに向かって引き抜くことができる。しかも、爪部１１が内方Ｍに撓む際に、上部片９ａ及び下部片９ｂが内筒部１４ａに当たって内方Ｍへの撓みすぎを防止できるので、上部片９ａや下部片９ｂの欠損や上部片９ａや下部片９ｂを構成する樹脂の白化などによる強度低下を防ぐことができる。そのうえ内筒部１４ａはケース本体２を補強する補強用リブとしても機能する。
【００５３】
以上、本発明の実施形態を図１〜図９を参照して説明したが、本発明はこれに限定されるものではない。
【００５４】
つまり、上記実施形態では、ケース本体２の前端面２ａに雌型連結部８を突設し、蓋体３の背面３ｂに雄型連結部９を突設しているが、これとは逆に、ケース本体２の前端面２ａに雄型連結部９を突設し、蓋体３の背面３ｂに雌型連結部８を突設してもよい。
【００５５】
また、上記実施形態では、ガスコンロ２０に設けられる電池ケース１を説明したが、他例として、ガスコンロ２０以外の機器に設けられる電池ケースにも同様に適用可能である。
【００５６】
また、雌型連結部８及び雄型連結部９をそれぞれ、断面の曲率が連続する中空円筒状に形成したが、他の例として、曲率が連続する不規則な曲面（例えば、楕円形、小判形、ひょうたん形など）で形成してもよい。この場合、雄型連結部９を雌型連結部８に差し込んだ状態で雄型連結部９に回転する力が加わっても、雌型連結部８と雄型連結部９との不規則な曲面によって回転が阻止されるようになり、結果、雌型連結部８と雄型連結部９の形状自体が回り止め部１２として機能するようになり、回り止め凹部１２ａや回り止め突部１２ｂを別途設ける必要がなくなる。
【００５７】
また、雌型連結部８の上部側に左右方向Ｄの寸法の小さい第１係合部１０ａを設け、雌型連結部８の下部側に左右方向Ｄの寸法の大きい第２係合部１０ｂを設けたが、これとは上下逆に設けてもよく、或いは、第１係合部１０ａと第２係合部１０ｂとを雌型連結部８の左右方向Ｄの２箇所に設けてもよい。要するに第１係合部１０ａと第２係合部１０ｂを設ける位置は適宜設計変更自在である。また、係合部１０として長孔３１,３２を例示したが、必ずしも孔形状に限らず、爪部１１が係合可能な凹み形状であってもよいものである。
【符号の説明】
【００５８】
１  電池ケース
２  ケース本体
２ａ  ケース本体の前端面
３  蓋体
３ｂ  背面
８  雌型連結部
８ａ  雌型連結部の外周
８ｂ  雌型連結部の内周
８ｃ  雌型連結部の内部空間
９  雄型連結部
９ｅ  雄型連結部の外周
１０  係合部
１１  爪部
１２  回り止め部
１２ａ  回り止め凹部
１２ｂ  回り止め突部
１４  規制部
Ａ  前方
Ｍ  内方
【図１】
0005457968.tif 000002
【図２】
0005457968.tif 000003
【図３】
0005457968.tif 000004
【図４】
0005457968.tif 000005
【図５】
0005457968.tif 000006
【図６】
0005457968.tif 000007
【図７】
0005457968.tif 000008
【図８】
0005457968.tif 000009
【図９】
0005457968.tif 000010